(57)【要約】      （修正有）【課題】高さが数段階に調整でき、且つ軟質部分を持つので、耐衝撃性が良くて損壊し難いと共に、ゴルフ・クラブの打球面を傷つけることなく、且つ夜間蛍光効果を有する、ゴルフ・ティーを提供すること。【解決手段】一つの挿入ロッド２と、一つの連接スリーブ３と、一つの高度調整スリーブ４とから構成されるゴルフ・ティーにおいて、前記挿入ロッドは、その下端に一つの挿入段２１を有し、その上端が高度調整スリーブ内に設けられる連接スリーブの下端と連接し、前記連接スリーブの周壁には、縦方向に沿って切った切り溝３４と、横方向に沿って設ける制限突起３５とを有し、前記高度調整スリーブは、その上端に放置周縁４１を有し、その下端の内壁面には制限突起と当接し止めるための係り周縁４２が設けてあり、これにより、前記高度調整スリーブが連接スリーブで高さを調整でき、ゴルフ・ティー全体の高さを変更できることを特徴とするゴルフ・ティーである。【選択図】図２
0003105803.tif 000002
【実用新案登録請求の範囲】
【請求項１】
一つの挿入ロッドと、一つの連接スリーブと、一つの高度調整スリーブとから構成されるゴルフ・ティーにおいて、
前記挿入ロッドは、その下端に一つの挿入段を有し、その上端が高度調整スリーブ内に設けられる連接スリーブの下端と連接し、
前記連接スリーブの周壁には、縦方向に沿って切った切り溝と、横方向に沿って設ける制限突起とを有し、
前記高度調整スリーブは、その上端に放置周縁を有し、その下端の内壁面には制限突起と当接し止めるための係り周縁が設けてあり、
これによって、前記高度調整スリーブが連接スリーブで高さを調整でき、ゴルフ・ティー全体の高さを変更できることを特徴とする、
ゴルフ・ティー。
【請求項２】
前記挿入ロッドの上端には一つの凹部を有し、前記連接スリーブの下端に一つの嵌込段が形成され、前記嵌込段は前記凹部内に嵌め込むことができることを特徴とする、請求項１に記載のゴルフ・ティー。
【請求項３】
前記挿入ロッドの凹部には締め孔が設けてあり、前記連接スリーブの底端面には一つの貫通孔が開けてあり、締め具が前記貫通孔を挿通して締め孔に締めてロックすることにより、前記挿入ロッドと前記連接スリーブとが連接されることを特徴とする、請求項２に記載のゴルフ・ティー。
【請求項４】
前記挿入ロッドの上端には締め孔が設けてあり、前記連接スリーブの底端面には一つの貫通孔が開けてあり、締め具が前記貫通孔を挿通して締め孔に締めてロックすることにより、前記挿入ロッドと前記連接スリーブとが連接されることを特徴とする、請求項１に記載のゴルフ・ティー。
【請求項５】
前記高度調整スリーブの放置周縁は、より大きい直径を持つ開口であることを特徴とする、請求項１に記載のゴルフ・ティー。
【考案の詳細な説明】
【技術分野】
【０００１】
本考案はゴルフ・ティーに係り、特に高さが数段階に調整でき、且つ軟質部分を持つので、耐衝撃性が良くて損壊し難いと共に、ゴルフ・クラブの打球面を傷つけることなく、且つ夜間蛍光効果を有するゴルフ・ティーに関するものである。
【背景技術】
【０００２】
ゴルフ・ティーはゴルフ・ボールを長距離に飛ばすときに使用されるものであり、大きな力で打球しても、ゴルフ・クラブのヘッドが地面に当たらないので、ゴルフ・クラブのヘッドが損壊しない。
【０００３】
従来のゴルフ・ティー１の構造は、図１に示すように、硬質な材質で成形され中空な円錐体を呈しており、その下端にある円錐段１１は地面に挿入するためのもので、その上端にある開口部１２はゴルフ・ボールを放置するためのものである。
【考案の開示】
【考案が解決しようとする課題】
【０００４】
しかしながら、これは次のような欠点があった。
（１）従来のゴルフ・ティーは高さ調整ができない構造なので、使用者はゴルフ・ティーを地面に挿入した後、高さが不適合である場合には、ゴルフ・ティーを地面から抜き出し、高さが良くなるまで別の箇所に重複して挿入することが必要になるので、使用が極めて不便である。
【０００５】
（２）従来のゴルフ・ティーは硬質な素材で成形されているので、打球した際、ゴルフ・クラブのヘッドがゴルフ・ティーに衝撃するため、ゴルフ・クラブの打球面にスクラッチが発生し、今後の打球効果に悪影響を与える。
【０００６】
（３）従来のゴルフ・ティーは硬質な素材で成形されているので、打球した際、ゴルフ・ティーがゴルフ・クラブのヘッドに衝撃され、その衝撃力を吸収できないため、ゴルフ・ティーの構造が損壊され易い。
【課題を解決するための手段】
【０００７】
上記欠点を解決するためになされた本願の考案は、一つの挿入ロッドと、一つの連接スリーブと、一つの高度調整スリーブとから構成されるゴルフ・ティーにおいて、前記挿入ロッドは、その下端に一つの挿入段を有し、その上端が高度調整スリーブ内に設けられる連接スリーブの下端と連接し、前記連接スリーブの周壁には、縦方向に沿って切った切り溝と、横方向に沿って設ける制限突起とを有し、前記高度調整スリーブは、その上端に放置周縁を有し、その下端の内壁面には制限突起と当接し止めるための係り周縁が設けてあり、これにより、前記高度調整スリーブが連接スリーブで高さを調整でき、ゴルフ・ティー全体の高さを変更できることを特徴とするゴルフ・ティーであることを要旨としている。
【０００８】
本願の考案では、前記挿入ロッドの上端には一つの凹部を有し、前記連接スリーブの下端に一つの嵌込段が形成され、前記嵌込段は前記凹部内に嵌め込むことができることを特徴とする請求項１に記載のゴルフ・ティーであることを要旨としている。
【０００９】
本願の考案では、前記挿入ロッドの凹部には締め孔が設けてあり、前記連接スリーブの底端面には一つの貫通孔が開けてあることにより、締め具が前記貫通孔を挿通して締め孔に締めてロックするので、前記挿入ロッドと前記連接スリーブとが連接されることを特徴とする請求項２に記載のゴルフ・ティーであることを要旨としている。
【００１０】
本願の考案では、前記挿入ロッドの上端には締め孔が設けてあり、前記連接スリーブの底端面には一つの貫通孔が開けてあることにより、締め具が前記貫通孔を挿通して締め孔に締めてロックするので、前記挿入ロッドと前記連接スリーブとが連接されることを特徴とする請求項１に記載のゴルフ・ティーであることを要旨としている。
【００１１】
本願の考案では、前記高度調整スリーブの放置周縁は、より大きい直径を持つ開口であることを特徴とする請求項１に記載のゴルフ・ティーであることを要旨としている。
【考案の効果】
【００１２】
本考案に係るゴルフ・ティーによれば、次のような効果がある。
（１）本考案に係るゴルフ・ティーを地面に挿入し固定した後、その高さが使用者に合わない場合には、連接スリーブに対して高度調整スリーブの位置を調整するだけで、ゴルフ・ティーの高さが調整でき、ゴルフ・ティーを抜き出して再び地面に挿入する必要がないので、使用上極めて便利である。
【００１３】
（２）ゴルフ・ティーの高さを調整するときに、高度調整スリーブ４と連接スリーブ３との周壁を直接に押圧するだけで、連接スリーブに対して高度調整スリーブの位置を調整できるので、全体高さの調整が便利である。
【００１４】
（３）高度調整スリーブ４と連接スリーブ３とは軟質素材で作成されるものなので、それらは打球面の衝撃を吸収できると共に衝撃の方向へ湾折することができるので、打球面が傷つくのを回避でき、且つゴルフ・ティーが損壊することもない。
【００１５】
（４）本考案に係る挿入ロッドと、連接スリーブと、高度調整スリーブとは蛍光体に作成するので、夜間でもゴルフ・ティーの位置をはっきりと見えるので、ゴルフ・ティーの実用性が向上する。
【考案を実施するための最良の形態】
【００１６】
以下、添付図面を参照して本考案の好適な実施の形態を詳細に説明する。
【００１７】
まず、図２乃至図３を参照する。本考案に係るゴルフ・ティーは、一つの挿入ロッド２と、一つの連接スリーブ３と、一つの高度調整スリーブ４とから構成されるものである。
【００１８】
前記挿入ロッド２は、硬質樹脂で形成されるものであり、その下端には円錐状の挿入段２１を有し、その上端には一つの凹部２２を有し、前記凹部２２の内部には一つの締め孔２３が開けてある。
【００１９】
前記連接スリーブ３は、軟質樹脂で形成されるものであり、中空なスリーブ状を呈し、その上端に凸縁３１を有し、その下端に略円錐状を呈する嵌込段３２を有するので、前記連接スリーブ３は前記挿入ロッド２にある凹部２２内に嵌め込むことができる。その底端面には挿入ロッド２にある締め孔２３と対応する貫通孔３３が開けてあり、また、前記連接スリーブ３の周壁には、縦方向に沿って切った切り溝３４と、横方向に沿って設ける制限突起３５とを有する。
【００２０】
前記高度調整スリーブ４は、軟質樹脂で形成されるものであり、中空なスリーブ状を呈し、その上端にゴルフ・ボールが放置できる開口の広い放置周縁４１を有し、その下端の内壁面には前記制限突起３５と当接し止めるための係り周縁４２が設けてある。
【００２１】
本考案に係るゴルフ・ティーの組立ては、図３に示すように、挿入ロッド２の上端に高度調整スリーブ４の底面を当接して、前記高度調整スリーブ４の内部に連接スリーブ３を挿入し、このとき、連接スリーブ３の制限突起３５が高度調整スリーブ４の係り周縁４２と当接し制限される。また、締め具４３を連接スリーブ３にある貫通孔３３に挿通して、挿入ロッド２の締め孔２３に締め具４３を締め固定し、これにより、挿入ロッド２と、連接スリーブ３と、高度調整スリーブ４とが一体になりゴルフ・ティーを構成する。
【００２２】
本考案に係るゴルフ・ティーの使用状態は、図４に示すように、ゴルフ・ティーの挿入ロッド２にある挿入段２１を地面に挿入して、使用者の需要によって高度調整スリーブ４の高さを調整し、調整するときには、高度調整スリーブ４と連接スリーブ３との周壁を直接に押圧し、この押圧により高度調整スリーブ４と連接スリーブ３とが変形して、制限突起３５と係り周縁４２との間に隙間が発生し、高度調整スリーブ４にある係り周縁４２が制限突起３５を通過することができるようになる。高度調整スリーブ４と連接スリーブ３とを放した後、係り周縁４２が再び他の制限突起３５と当接し制限され、これにより、図５に示すように、高さを調整した後の高度調整スリーブ４が定位され、使用者はゴルフ・ボールを高度調整スリーブ４にある放置周縁４１に放置して打球することができる。
【００２３】
ゴルフ・クラブによってゴルフ・ボールを打撃するときに、ゴルフ・クラブの打球面が高度調整スリーブ４に当たる場合に、高度調整スリーブ４と連接スリーブ３とは軟質素材で作成されるものなので、それらは打球面の衝撃を吸収できると共に、図６に示すように、衝撃の方向へ湾折することができるので、打球面に傷つけることから回避でき、且つゴルフ・ティーも損壊しない。
【００２４】
そして、前記ゴルフ・ティーの高さは使用者に合う高さに調整されているので、次回使用のときには、ゴルフ・ティーの挿入ロッド２の挿入段２１を直接地面に挿入するだけで良い。すなわち、高度調整スリーブ４を再び調整することが必要ない。
【００２５】
また、本考案に係る挿入ロッド２と、連接スリーブ３と、高度調整スリーブ４とは蛍光体に作成してもいい。そうすると、夜間でもゴルフ・ティーの位置をはっきりと見えるので、ゴルフ・ティーの実用性が向上する。
【図面の簡単な説明】
【００２６】
【図１】従来のゴルフ・ティーの斜視図である。
【図２】本考案に係るゴルフ・ティーの分解斜視図である。
【図３】本考案に係るゴルフ・ティーの組立てた状態を示す断面図である。
【図４】本考案に係るゴルフ・ティーの使用状態を示す概略図である。
【図５】本考案に係るゴルフ・ティーの高さ調整した後の使用状態を示す概略図である。
【図６】本考案に係るゴルフ・ティーがゴルフ・クラブの打球面に当たった後の状態を示す概略図である。
【符号の説明】
【００２７】
（従来の部分）
１        ゴルフ・ティー
１１      円錐段
１２      開口部
（本考案の部分）
２        挿入ロッド
２１      挿入段
２２      凹部
２３      締め孔
３        連接スリーブ
３１      凸縁
３２      嵌込段
３３      貫通孔
３４      切り溝
３５      制限突起
４        高度調整スリーブ
４１      放置周縁
４２      係り周縁
４３      締め具
【図１】
0003105803.tif 000003
【図２】
0003105803.tif 000004
【図３】
0003105803.tif 000005
【図４】
0003105803.tif 000006
【図５】
0003105803.tif 000007
【図６】
0003105803.tif 000008